(57)【特許請求の範囲】
【請求項１】
前身頃に接続され後身頃へ向けて延設された前ベルト体と、後身頃に接続され前身頃へ向けて延設されるとともに先端部に前ベルト体を挿通して前ベルト体を前方へ折り返すための調節具が設けられた後ベルト体とを備え、折り返した前ベルト体を引っ張ることにより前身頃と後身頃との離間距離を調節することができるフローティングベストにおいて、後ベルト体には、調節具の後側に、前ベルト体の先端部を保持可能な保持手段が設けられ、調節具が、前身頃の内側に配置された枠体であり、該枠体の枠内が、第一仕切り部及び第二仕切り部によって、第一枠内、第二枠内、及び第三枠内の３つの枠に分割されていて、後ベルト体の先端部が、第一枠内と第二枠内とを通して折り返され、前ベルト体を、第二枠内及び第三枠内に挿通し第二仕切り部を基点に前方側に折り返してから前方へ引っ張り、該前方へ引っ張られて折り返された部分を調節具を覆うように後方側に更に折り返して保持手段に保持させ、前身頃が、内布と外布とが縫着されて形成され、内布に前身頃の周方向に伸びる補強体を備え、前ベルト体の基端部は、前身頃の内布と補強体の前端部とを重ねて挟み込んだ状態となるように折り返されて縫着されていることを特徴とするフローティングベスト。
【請求項２】
前身頃と後身頃とは、左右両端部が伸縮自在なウェスト部材によって接続され、後ベルト体は、ウェスト部材を通して延設されていることを特徴とする請求項１に記載のフローティングベスト。
【請求項３】
調節具は前身頃の周方向略中央の位置に配置されていることを特徴とする請求項１又は２の何れかに記載のフローティングベスト。
【請求項４】
調節具には、指かけ部が形成されていることを特徴とする請求項１乃至３の何れかに記載のフローティングベスト。
【発明の詳細な説明】
【技術分野】
【０００１】
本発明は、フローティングベストに関し、特に、前身頃と後身頃との離間距離を調節することができるフローティングベストに関する。
【背景技術】
【０００２】
従来、この種のフローティングベストとしては、後身頃に接続され後身頃の左右両側から前方に向けて延設された一本のベルト体とベルト体の長さを調節する調節具とベルト体を折り返す枠体とを備えたものが知られている。これは、ベルト体を枠体に挿通して折り返し、折り返したベルト体の先端部を調節具に接続し、調節具を前後に操作することによってベルト体の長さを調節することによって前身頃と後身頃との離間距離を調節することができるものである。
【０００３】
このようなフローティングベストは、ベルト体の長さを短くして締付ける際には、調節具を後方に移動するように操作しなければならない。従って、フローティングベストを着用した状態においては、調節具を着用者の後方に移動するように操作しなければならず、締付け作業をすることはできなかった。従って、釣人等は、一端フローティングベストを脱いだ状態で離間距離を調節し、また、調節を解除する際も同様に、フローティングベストを脱いだ状態で作業していたのが現状である。
【０００４】
そこで、出願人は、締付け作業を改善する一案として、下記特許文献１記載のフローティングベストを考え、既に提案している。
【０００５】
即ち、該ベストは、前身頃に接続され後方に向けて延設された前ベルト体と、後身頃に接続され前方に向けて延設された後ベルト体とを備え、後ベルト体の先端部には、前ベルト体を挿通して折り返す調節具が設けられているものである。この構成の場合、調節具に挿通して折り返した前ベルト体を前方に引っ張ることによって前身頃と後身頃との離間距離を調節することができる。
【特許文献１】特開２００１−２０１１０号公報
【発明の開示】
【発明が解決しようとする課題】
【０００６】
しかしながら、上記のフローティングベストにおいては、調節具が後身頃の内側に位置しているので、着用した状態で離間距離を調節しようとしても、着用者は、腕を前方から背中付近まで回さなければならず、嵩高のフローティングベストを着用した状態では、実質上離間距離を調節する作業が極めて困難であった。
【０００７】
従って、実際は、着用した状態で前身頃と後身頃との離間距離を調節するのではなく、一端フローティングベストを脱いだ状態で離間距離を調節し、また、調節を解除する際も同様に、フローティングベストを脱いだ状態で作業していたのが現状である。
【０００８】
そこで、本発明は、上記のような現状に鑑みてなされ、着用した状態で前身頃と後身頃との離間距離を調節できるようにすることでサイズ調節が容易となるフローティングベストを提供することを課題とする。
【課題を解決するための手段】
【０００９】
本発明は、上記課題を解決すべくなされたものであり、本発明に係るフローティングベストは、前身頃に接続され後身頃へ向けて延設された前ベルト体と、後身頃に接続され前身頃へ向けて延設されるとともに先端部に前ベルト体を挿通して前ベルト体を前方へ折り返すための調節具が設けられた後ベルト体とを備え、折り返した前ベルト体を引っ張ることにより前身頃と後身頃との離間距離を調節することができるフローティングベストにおいて、後ベルト体には、調節具の後側に、前ベルト体の先端部を保持可能な保持手段が設けられ、調節具が、前身頃の内側に配置された枠体であり、該枠体の枠内が、第一仕切り部及び第二仕切り部によって、第一枠内、第二枠内、及び第三枠内の３つの枠に分割されていて、後ベルト体の先端部が、第一枠内と第二枠内とを通して折り返され、前ベルト体を、第二枠内及び第三枠内に挿通し第二仕切り部を基点に前方側に折り返してから前方へ引っ張り、該前方へ引っ張られて折り返された部分を調節具を覆うように後方側に更に折り返して保持手段に保持させ、前身頃が、内布と外布とが縫着されて形成され、内布に前身頃の周方向に伸びる補強体を備え、前ベルト体の基端部は、前身頃の内布と補強体の前端部とを重ねて挟み込んだ状態となるように折り返されて縫着されていることを特徴とする。
【００１０】
該構成のフローティングベストにあっては、調節具は、着用者自身の前側に位置することとなる。よって、前身頃と後身頃との離間距離を縮める場合には、着用者は、着用者自身の前側（前身頃の内側）において、調節具に前ベルト体を挿通して前方に折り返すことができる。そして、折り返した前ベルト体の先端部を把持して前方へ引っ張ることによって、前後両ベルト体に引張り力が作用して折り返した部分が徐々に長くなる。それに伴って、前身頃と後身頃との離間距離は徐々に縮まって、前後両身頃は着用者に密着して締付けた状態となる。
【００１１】
また、前身頃と後身頃との離間距離を広げる場合には、着用者は、着用者自身の前側（前身頃の内側）において、調節具に手指をかけて前ベルト体の折り返した部分が徐々に短くなるように、調節具を操作することができる。そして、前ベルト体の折り返した部分が徐々に短くなると、前後両ベルト体に作用している引張り力が徐々に緩和され、前身頃と後身頃との離間距離は徐々に広がって、前後両身頃の締付け状態が解除される。
【００１２】
このように、着用者は、着用者自身の前側において、前身頃と後身頃との離間距離を調節したり締付けを解除したりすることができる。また、後ベルト体には、調節具の後側に、前ベルト体の先端部を保持可能な保持手段が設けられていることから、前身頃と後身頃との離間距離を縮めて締付けた状態にした後、前ベルト体の折り返した部分を、調節具を覆うように更に折り返し、その先端部を保持手段で保持することにより、調節具を前ベルト体にて覆うことができる。よって、フローティングベスト着用時に、調節具が着用者に直接当たってしまうのを防止することができ、安全に着用できる。また、着用中に調節具が引っ掛かり不用意に解除してしまうことを防止することができる。
【００１３】
特に、前身頃と後身頃とは、左右両端部が伸縮自在なウェスト部材によって接続され、後ベルト体は、ウェスト部材を通して延設されていることが好ましい。
【００１４】
このような構成にすると、延設された後ベルト体はウェスト部材に支持されるので、後ベルト体を撓まず真っ直ぐな状態で維持することができる。また、離間距離が縮む或いは広がる際にはウェスト部材が伸縮するのであるが、後ベルト体がウェスト部材に通っているので、ウェスト部材は後ベルト体に沿って伸縮する。従って、スムーズに離間距離を調節することができる。
【００１５】
更に、調節具は前身頃の周方向略中央の位置に配置されていることが好ましく、フローティングベストを着用した状態で前身頃と後身頃との離間距離を縮めていくと、調節具の位置は相対的に前身頃の前側に移動するが、調節具を前身頃の周方向略中央の位置に配置していると、離間距離が縮まって調節具の位置が相対的に前身頃の前側に移動しても、調節具は前身頃の内側に位置することとなる。よって、前身頃と後身頃との離間距離を縮めて締付けた状態にしても、調節具が釣等の邪魔にならない。
【００１７】
また、調節具には、指かけ部が形成されていることが好ましく、締付けを解除する際に、着用者は、指かけ部に手指をかけて解除作業をすることができ、解除作業を容易に行うことができる。
【発明の効果】
【００１８】
このように、本発明に係るフローティングベストにあっては、調節具が前身頃の内側に配置されているので、締付けるときにも解除するときにも、着用者は、着用した状態で、着用者自身の前側において、調節具を操作して、前身頃と後身頃との離間距離を調節したり締付けを解除したりすることができる。従って、前身頃と後身頃との離間距離を容易に調節することができるという効果を奏する。
【発明を実施するための最良の形態】
【００１９】
以下、本発明に係るフローティングベストの一実施形態について図面を参酌しつつ説明する。
図１に、本実施形態におけるフローティングベスト１が示されている。該フローティングベスト１は、左右一対の前身頃２と、左右それぞれの前身頃２と連結された後身頃３と、左右それぞれの前身頃２に接続された左右一対の前ベルト体１１と、後身頃３に接続された後ベルト体１２とを備える。
【００２０】
前身頃２及び後身頃３は、例えばナイロン等からなる内布４と外布５とが適宜縫着されることによって形成されており、内布４と外布５とで構成される内部領域に、例えばウレタン発泡材等からなる浮力部材６が収納されている。尚、前身頃２及び後身頃３には、内布４或いは外布５に適宜ポケットＸが設けられており、例えば釣糸等の小物を適宜収納することができるようになっている。
【００２１】
左右の前身頃２は、着用者Ｈの前面側（腹部側）の右側或いは左側半分を覆うようにそれぞれ構成されており、前面側の合わせ部２１において互いに係脱自在に連結することができるように構成されている。尚、各前身頃２の合わせ部２１（前面側の端部）には、前面スライドファスナーＳ１等の開閉手段が設けられている。また、前身頃２の内側には、浮力部材６を出し入れするための収納口２２が形成されている。具体的には、収納口２２は、前身頃２の内布に開口部を形成することによって構成され、前面スライドファスナーＳ１から周方向（側面側）に若干離れた位置に、前面スライドファスナーＳ１に沿うように前身頃２の下端部から上端部に亘って形成されている。尚、収納口２２には、収納スライドファスナーＳ２が設けられており、開閉自在となっている。
【００２２】
また、前身頃２の周方向略中央の位置には、図示しない股ベルトを係合するための係合部材７が取り付けられている。具体的には、係合部材７は、内布４と前身頃２の周方向に伸びる補強体８とによって挟み込まれた状態で縫い付けられている。ここで、補強体８は、前身頃２の側端縁２３から収納スライドファスナーＳ２と内布４との境界２４に亘って伸びる帯状体であり、前面スライドファスナーＳ１の下端より上方側にて内布４に縫い付けられている。
【００２３】
後身頃３は、着用者Ｈの後面側（背部側）全域を覆うように構成されている。後身頃３の周方向略中央の位置には、股ベルトを係合するための係合部材７が取り付けられている。具体的には、係合部材７は、内布４と後ベルト体１２とによって挟み込まれた状態で縫い付けられている。
【００２４】
前身頃２と後身頃３とは、着用者Ｈの肩部に対応する部分（上端部２５,３１）が互いに連結されており、更に、着用者Ｈの脇腹部に対応する部分（左右両端部２６,３２）が伸縮自在なウェスト部材９を介して連結されている。つまり、前身頃２と後身頃３とは、左右両端部２６,３２が離間しており、ウェスト部材９が伸縮することによって、この離間距離を調節することができる。
【００２５】
ここで、ウェスト部材９は、図２に示すように、内布９１と外布９２とで構成されており、内布９１の外周部と外布９２の外周部とが縫着されることにより袋状となっており、少なくとも周方向に伸縮自在に構成されている。ウェスト部材９は、その左右両側端部に一対の挿通孔９３が設けられている。具体的には、内布９１の上下端部と外布９２の上下端部とは、それぞれ略全域に亘って縫着されている。一方、内布９１の左右両側端部と外布９２の左右両側端部とは、所定領域を除いた領域がそれぞれ縫着されている。ここで、所定領域とは、ウェスト部材９の内部領域と外部とを連通する開口であり、この開口が挿通孔９３となっている。挿通孔９３は、ウェスト部材９の上下方向略中央より若干下側に設けられている。本実施形態では、挿通孔９３は、その上端が補強体８の上端縁８１とほぼ一致するような位置に設けられている。
【００２６】
また、ウェスト部材９の内部領域には、上下一対の伸縮体１０が収納されている。具体的には、伸縮体１０は、例えばゴム等の伸縮性を有するものであり、ウェスト部材９の周方向略全域に亘って伸びる帯状体である。伸縮体１０は、挿通孔９３の上下両側にそれぞれ配置されており、内布９１と外布９２との両方に縫着固定されている。
【００２７】
前ベルト体１１は、左右の前身頃２にそれぞれ一対設けられ、前身頃２に接続されて後身頃３へ向けて延設されている。具体的には、前ベルト体１１は、周方向に伸びる帯状体であり、その長さは補強体８の長さよりも若干短くなっている。尚、前ベルト体１１の幅は、補強体８の幅よりも広くなっている。また、前ベルト体１１の先端部には、折り返されて縫い付けられた先端折り返し部１１１が形成されており、その縫い付け位置Ｙ１は、先端折り返し部１１１の略中央の位置である。
【００２８】
前ベルト体１１は、その基端部１１２が前身頃２の内布４に縫着されている。具体的には、前ベルト体１１は、その基端部１１２が収納スライドファスナーＳ２と前身頃２の内布４との境界２４に縫着され、そこから周方向（前身頃２の側端部２６の方向）に向けて伸びている。前ベルト体１１の基端部１１２は、図４に示すように、収納スライドファスナーＳ２と前身頃２の内布４との境界２４に縫着されており、内布４を前後に挟み込むように前身頃２の内部領域に折り返されて縫着され、折り返した部分に収納スライドファスナーＳ２が縫着されている。ここで、前ベルト体１１の長さは、上述したように、補強体８の長さよりも若干短い長さであるが、換言すると、後述のように、前後ベルト体１２を締付けた状態で前面スライドファスナーＳ１よりも前方に突出し、しかも、前ベルト体１１自身の剛性により撓まず真っ直ぐの状態を維持できる程度の長さとなっている。
【００２９】
前ベルト体１１は、前面スライドファスナーＳ１の下端よりも上方側に設けられている。本実施形態では、前ベルト体１１は、その上端縁１１３が補強体８の上端縁８１と略一致するように設けられている。即ち、前ベルト体１１の基端部１１２の折り返した部分には、前身頃２の内布４だけでなく補強体８の前端部８２も挟み込まれており、前ベルト体１１の基端部１１２にて内布４と補強体８の前端部８２とを重ねて挟み込んだ状態で縫着位置Ｙ２にて縫着されている。
【００３０】
後ベルト体１２は、図２に示すように、後身頃３に接続されて前身頃２へ向けて延設されている。具体的には、後ベルト体１２は、周方向に伸びる帯状体である。本実施形態では、後ベルト体１２の長さは、後身頃３の周方向の長さよりも長くなっている。尚、後ベルト体１２の幅は、前ベルト体１１の幅と略等しい幅となっている。
【００３１】
後ベルト体１２は、後身頃３とウェスト部材９との境界３３に接続されるとともにウェスト部材９を通して延設されている。具体的には、後ベルト体１２は、後身頃３を周方向に横断して、後身頃３とウェスト部材９との境界となる後身頃３の左右両端縁３３からそれぞれ突出するように配置されている。そして、後ベルト体１２のうち後身頃３の一端縁３３から他端縁３３に亘る部分が内布４に縫着され、左右両端縁３３から突出している部分がそれぞれウェスト部材９の挿通孔９３を介してウェスト部材９の内部領域を通過し、先端部１２１が前身頃２の周方向中央付近にまで伸びている。後ベルト体１２の上下方向の設置位置は、前ベルト体１１の上下方向の設置位置とほぼ等しく、前面スライドファスナーＳ１の下端よりも上方側となっている。尚、後ベルト体１２のうち後身頃３の一端縁３３から他端縁３３に亘る部分の周方向略中央の位置には、股ベルトを係合するための係合部材７が設けられている。具体的には、係合部材７は、後ベルト体１２と後身頃３の内布４との間に挟み込まれて縫着されている。
【００３２】
また、後ベルト体１２の両端部１２１には、前ベルト体１１を挿通して前ベルト体１１を前方へ折り返すための調節具１３が設けられている。この調節具１３は、例えば硬質の合成樹脂からなる枠体であり、枠内を仕切る第一仕切り部１３１と第二仕切り部１３２とが周方向に離間して設けられている。即ち、調節具１３の枠内は、第一仕切り部１３１及び第二仕切り部１３２によって、第一枠内１３３、第二枠内１３４、及び第三枠内１３５の３つの枠に分割されている。また、調節具１３には、その先端部が隆起した指かけ部１３６が形成されている。
【００３３】
調節具１３は、後ベルト体１２の後身頃３とウェスト部材９との境界３３から突出している部分の先端部１２１に取り付けられている。具体的には、調節具１３は、後ベルト体１２の先端部１２１を、第一枠内１３３と第二枠内１３４とを通して折り返した環状部に第一仕切り部１３１が係止されることによって、後ベルト体１２の先端部１２１に取り付けられている。
【００３４】
上述のように、後ベルト体１２は、先端部１２１が前身頃２の周方向中央付近にまで伸びているため、調節具１３は、前身頃２の内側、即ち、着用者Ｈと前身頃２との間に配備され、しかも、前身頃２の周方向略中央の位置に配備される。
【００３５】
また、後ベルト体１２には、調節具１３の後側に、前ベルト体１１の先端部１１１を保持可能な保持手段として、後ベルト体１２の幅方向に巻き回したループ１４が取り付けられている。具体的には、ループ１４は、後ベルト体１２の長手方向に挿通可能な環状体であり、帯状体を巻き回して形成され、帯状体の両端部を後ベルト体１２に逢着することによって後ベルト体１２に取り付けられている。
【００３６】
以上の構成からなるフローティングベスト１にあっては、後ベルト体１２は、後身頃３の左右端縁２３から前身頃２の周方向略中央付近まで伸びているので、その先端部１２１に取り付けられている調節具１３が前身頃２の内側で前身頃２の周方向略中央の位置に配置される。よって、フローティングベスト１を着用すると、図３に示すように、調節具１３が着用者Ｈの前側、具体的には、着用者Ｈの腹側に配置されることになる。従って、前身頃２と後身頃３との離間距離を縮める場合には、図３及び図４に示すように、着用者Ｈは、着用者Ｈ自身の腹側において、調節具１３の第二枠内１３４及び第三枠内１３５に前ベルト体１１を挿通して、第二仕切り部１３２を基点に前方に折り返すことができる。この状態において、前ベルト体１１は、それ自身の剛性によって調節具１３から水平方向に伸びた姿勢となっている。
【００３７】
従って、水平姿勢の前ベルト体１１の先端折り返し部１１１に手指をかけるようにして、前ベルト体１１を把持して前方へ引っ張ることによって、前後両ベルト体１１,１２に引張り力が作用して折り返した部分が徐々に長くなる。それに伴って、前身頃２と後身頃３との離間距離は徐々に縮まって、換言すると、ウェスト部材９が周方向に縮んで、前後両身頃２,３は着用者Ｈに密着して締付け状態となる。
【００３８】
また、前身頃２と後身頃３との離間距離を広げる場合には、着用者Ｈは、着用者Ｈ自身の腹側において、調節具１３の先端部の指かけ部１３６に手指をかけて前ベルト体１１の折り返した部分が徐々に短くなるように、調節具１３を引き起こして操作することができる。
【００３９】
そして、前ベルト体１１の折り返した部分が徐々に短くなると、前後両ベルト体１１,１２に作用している引張り力が徐々に緩和され、前身頃２と後身頃３との離間距離は徐々に広がって（ウェスト部材９が徐々に伸びて）、前後両身頃２,３の締付け状態が解除される。
【００４０】
このように、着用者Ｈは、着用者Ｈ自身の腹側において、前身頃２と後身頃３との離間距離を調節したり締付け状態を解除したりすることができる。従って、着用した状態で、前身頃２と後身頃３との離間距離を容易に調節することができる。
【００４１】
また、後身頃３の左右両端縁３３から突出している部分がそれぞれウェスト部材９の挿通孔９３を介してウェスト部材９の内部領域を通過して前身頃２の周方向中央付近にまで伸びている。このため、後ベルト体１２の左右両端縁３３から突出している部分は、ウェスト部材９に支持され、撓まず真っ直ぐな状態に維持される。また、離間距離が縮む或いは広がる際には、ウェスト部材９が後ベルト体１２に沿って伸縮する。従って、スムーズに離間距離を調節することができる。
【００４２】
更に、前身頃２と後身頃３との離間距離を縮めようと前ベルト体１１を前方へ引っ張ると、前ベルト体１１の折り返した部分が徐々に長くなると共に、調節具１３の位置が前身頃２の前側に移動する。ここで、調節具１３は前身頃２の周方向略中央の位置に配置されているので、離間距離が縮まって調節具１３の位置が前側に移動しても、調節具１３は前面スライドファスナーＳ１より前側には出ることなく、前身頃２と着用者Ｈとの間に収まる。よって、前身頃２と後身頃３との離間距離を縮めて締付け状態にしても、調節具１３が前面スライドファスナーＳ１の開閉作業や釣等の邪魔にならない。
【００４３】
また更に、前ベルト体１１の先端部には、中央位置が縫着された先端折り返し部１１１が形成されている。よって、前ベルト体１１を前方へ引っ張る際に、先端折り返し部１１１に手指をかけると、縫着位置Ｙ１より後側の部分が起き上がって手指に密着するので、確実に前ベルト体１１を前方へ引っ張ることができる。また、不用意に締付け状態が解除したとしても、先端折り返し部１１１の縫着位置Ｙ１より後側の部分が調節具１３に引っ掛かるので、前ベルト体１１が第三枠内１３５から抜けてしまうのを防止することができる。
【００４４】
また、前ベルト体１１の基端部１１２は、前身頃２の内布４と補強体８の前端部８２とを重ねて挟み込んだ状態となるように折り返されて縫着されている。つまり、前ベルト体１１の基端部１１２は、厚く強固に縫着されている。よって、前ベルト体１１に引張り力が作用しても、基端部１１２の縫着状態は維持され、不用意に前ベルト体１１が外れてしまうのを防止することができる。
【００４５】
更に、前後のベルト体は、共に前面スライドファスナーＳ１の下端より上方側に位置している。また、前ベルト体１１の長さは、前面スライドファスナーＳ１よりも前方に突出し、しかも、前ベルト体１１自身の剛性により撓まず真っ直ぐの状態を維持できる程度の長さとなっている。よって、前面スライドファスナーＳ１の下端部を係合した状態で、前面スライドファスナーＳ１から前方に突出している前ベルト体１１を引っ張って、離間距離の調節を行うことができ、より一層正確な調節をすることができる。
【００４６】
また更に、後ベルト体１２には、ループ１４が取り付けられている。よって、図４にニ点鎖線にて示すように、前身頃２と後身頃３との離間距離を縮めて締付け状態にした後、前ベルト体１１の折り返した部分を、調節具１３を覆うように更に折り返し、ループ１４の環状内に通して収納することにより、調節具１３を前ベルト体１１にて覆うことができる。よって、フローティングベスト１着用時に、調節具１３が着用者Ｈに直接当たってしまうのを防止することができ、安全に着用できる。また、着用中に調節具１３が引っ掛かり不用意に締付け状態が解除してしまうことを防止することができる。
【００４７】
更に、調節具１３には、指かけ部１３６が形成されており、締付け状態を解除する際に、指かけ部１３６に手指をかけることによって、一層容易に解除作業をすることができる。
【００４８】
尚、本実施形態では、後ベルト体１２の長さが後身頃３の周方向の長さより長く、左右繋がった一本の帯状体である場合について説明したが、これに限られず、後身頃３の周方向の長さよりも短い後ベルト体１２を左右に一対設けてもよい。
【００４９】
また、本実施形態では、後ベルト体１２がウェスト部材９の内部領域を通して前身頃２まで伸びている場合について説明したが、これに限られず、ウェスト部材９の外布の外側を通した構成としてもよい。但し、後ベルト体１２をウェスト部材９の内部領域を通るように構成することによって、例えば釣針等が後ベルト体１２に引っ掛かることを防止することができる。また、後ベルト体１２が岩等に擦れたり海水等に濡れたりして磨耗や劣化するのを防止することができる。また、ウェスト部材９を一枚構成として、その外側或いは内側を後ベルト体１２が通過する構成であってもよい。その際には、ウェスト部材９の外面或いは内面にベルと通しを設けることが好ましい。
【００５０】
更に、本実施形態では、調節具１３は、枠内が三分割された枠体である場合について説明したが、これに限られず、分割されていないリング状の枠体を二つ設けて調節具１３としてもよい。
【００５１】
また更に、本実施形態では、調節具１３が前身頃２の周方向略中央の位置に配置されている場合について説明したが、これに限られず、前身頃２と着用者Ｈとの間の領域であればどこに配置してもよい。但し、前身頃２の周方向略中央の位置に配置すると、離間距離が縮まって調節具１３の位置が前身頃２の前側に移動しても、調節具１３は前身頃２と着用者Ｈとの間に位置するので、調節具１３が釣等の作業の邪魔にならない。
【図面の簡単な説明】
【００５２】
【図１】本発明の一実施形態に係るフローティングベストを示す正面図。
【図２】同フローティングベストの要部拡大図。
【図３】同フローティングベストを着用した状態を示す側面図。
【図４】図３のＰ−Ｐ線断面図。
【符号の説明】
【００５３】
１…フローティングベスト、２…前身頃、３…後身頃、６…浮力部材、７…係合部材、８…補強体、９…ウェスト部材、１０…伸縮体、１１…前ベルト体、１２…後ベルト体、１３…調節具、１４…ループ、９３…挿通孔、１１１…先端折り返し部、１３６…指かけ部、Ｈ…着用者、Ｓ１…前面スライドファスナー、Ｓ２…収納スライドファスナー
【図１】
0004820172.tif 000002
【図２】
0004820172.tif 000003
【図３】
0004820172.tif 000004
【図４】
0004820172.tif 000005